(57)【要約】【課題】フック部材の使い勝手を向上させる。【解決手段】車両のシートバック２の背面に傾動自在に支持され、前記シートバック２の面に沿った状態に倒される格納状態、及び、シートバック２の面に対して起立維持されて使用面が上側となる使用状態にされるテーブル３に対し、袋３１（小物類）を吊り下げるためのフック部材１２を縁部の任意の位置に摺動自在に備え、使用者の要望に応じてフック部材１２の位置をテーブル３の任意の位置に設定する。【選択図】図１
2017109717.tif 000002
【特許請求の範囲】
【請求項１】
車両のシートバックの背面に傾動自在に支持され、前記シートバックの面に沿った状態に倒される格納状態、及び、前記シートバックの面に対して起立維持されて使用面が上側となる使用状態にされるテーブルと、
前記テーブルの前記使用面の裏側に本体部が摺動自在に備えられ、前記本体部に連続した引掛部を有するフック部材とを備えた
ことを特徴とするシートバックテーブル。
【請求項２】
請求項１に記載のシートバックテーブルにおいて、
前記テーブルの裏側にはレール部材が備えられ、
前記フック部材は、
前記本体部が、前記レール部材に摺動自在に支持され、且つ、前記レール部材の長手方向の軸周りで傾動自在に支持されている
ことを特徴とするシートバックテーブル。
【請求項３】
請求項２に記載のシートバックテーブルにおいて、
前記レール部材は、
前記テーブルの前記裏側の縁部に沿って配されている
ことを特徴とするシートバックテーブル。
【請求項４】
請求項２もしくは請求項３に記載のシートバックテーブルにおいて、
前記フック部材の前記本体部には、
前記レール部材の任意の位置で前記レール部材に係止して前記フック部材の摺動を規制する摺動規制部材が設けられている
ことを特徴とするシートバックテーブル。
【請求項５】
請求項４に記載のシートバックテーブルにおいて、
前記レール部材には、
前記摺動規制部材が係止する溝が設けられている
ことを特徴とするシートバックテーブル。
【発明の詳細な説明】
【技術分野】
【０００１】
本発明は、シートバックの背面に備えられたシートバックテーブルに関する。
【背景技術】
【０００２】
車両のシートにおいて、前席のシートバックの背面にテーブルが傾動自在に支持され、シートバックの面に対してテーブルを起立（下縁を引き上げる、上縁を引き下げる）させることで、後席の乗員がテーブルを使用できるようにした、シートバックテーブルが従来から知られている。そして、この種のテーブルに、小物類や買い物袋を吊り下げることができるようにした構造が従来から提案されている（例えば、特許文献１）。
【０００３】
従来から提案されている技術は、カップホルダーとなる穴の端部にフックを設け、テーブルがシートバックの面に沿った状態に倒されていても、穴からフックを臨ませて小物類や買い物袋を吊り下げることができるようにしている。また、シートバックの面に対してテーブルを起立させて使用している状態でも、カップホルダーとなる穴の下で小物類や買い物袋をフックに吊り下げることができるようにしている。
【０００４】
従来から提案されている技術では、テーブルを格納している時でも、テーブルを使用している時でも、フックに小物類や買い物袋を吊り下げることができ、車室内のスペースを有効に使用することができる。
【０００５】
しかし、テーブルに対してフックの位置が決められているので、テーブルを格納している時に乗員の邪魔にならない位置に小物類や買い物袋が吊り下げられていても、テーブルを使用する時には乗員の邪魔になる位置に小物類や買い物袋が吊り下げられる状態になることが考えられる。また、逆に、テーブルを使用する時に邪魔になってなくても、テーブルを格納する時に乗員の邪魔になる位置に小物類や買い物袋が吊り下げられる状態になることも考えられる。
【０００６】
また、特許文献１で提案された技術は、テーブルを格納している時に穴から臨むフックに小物類や買い物袋を吊り下げる構成になっているので、テーブルを使用する際には、小物類や買い物袋を外してからテーブルの操作が必要になり、操作性が悪く、使い勝手が悪いものであった。
【先行技術文献】
【特許文献】
【０００７】
【特許文献１】特許第３９９１４６１号公報
【発明の概要】
【０００８】
本発明は上記状況に鑑みてなされたもので、小物類を吊り下げるためのフック部材の位置をテーブルの任意の位置に設定することができるシートバックテーブルを提供することを目的とする。
【課題を解決するための手段】
【０００９】
上記目的を達成するための請求項１に係る本発明のシートバックテーブルは、車両のシートバックの背面に傾動自在に支持され、前記シートバックの面に沿った状態に倒される格納状態、及び、前記シートバックの面に対して起立維持されて使用面が上側となる使用状態にされるテーブルと、前記テーブルの前記使用面の裏側に本体部が摺動自在に備えられ、前記本体部に連続した引掛部を有するフック部材とを備えたことを特徴とする。
【００１０】
請求項１に係る本発明では、フック部材がテーブルの使用面の裏側に摺動自在に備えられているので、小物や買い物袋を吊り下げるフック部材の位置を任意の位置に移動させることができる。即ち、使用者の好みやテーブルの状態に応じて、吊り下げられる物が邪魔にならない任意の位置にフック部材の位置を設定することができる。
【００１１】
そして、請求項２に係る本発明のシートバックテーブルは、請求項１に記載のシートバックテーブルにおいて、前記テーブルの裏側にはレール部材が備えられ、前記フック部材は、前記本体部が、前記レール部材に摺動自在に支持され、且つ、前記レール部材の長手方向の軸周りで傾動自在に支持されていることを特徴とする。
【００１２】
請求項２に係る本発明では、テーブルの裏側に備えられたレール部材に沿ってフック部材を摺動させることができる。また、レール部材の長手方向の軸周りにフック部材の本体部が傾動自在に支持されているので、テーブルの使用状態に応じてフックの角度を最適な状態に設定することができる。
【００１３】
また、請求項３に係る本発明のシートバックテーブルは、請求項２に記載のシートバックテーブルにおいて、前記レール部材は、前記テーブルの前記裏側の縁部に沿って配されていることを特徴とする。
【００１４】
請求項３に係る本発明では、テーブルの縁部に沿って配されたレール部材に対しフック部材を摺動させることで、フック部材をテーブルの縁部に沿って移動させることができる。
【００１５】
また、請求項４に係る本発明のシートバックテーブルは、請求項２もしくは請求項３に記載のシートバックテーブルにおいて、前記フック部材の前記本体部には、前記レール部材の任意の位置で前記レール部材に係止して前記フック部材の摺動を規制する摺動規制部材が設けられていることを特徴とする。
【００１６】
請求項４に係る本発明では、摺動規制部材をレール部材の任意の位置に係止させることで、レール部材に対するフック部材の摺動を規制して、フック部材の位置を任意の位置に規制することができる。
【００１７】
また、請求項５に係る本発明のシートバックテーブルは、請求項４に記載のシートバックテーブルにおいて、前記レール部材には、前記摺動規制部材が係止する溝が設けられていることを特徴とする。
【００１８】
請求項５に係る本発明では、レール部材の溝に摺動規制部材が係止することでレール部材に対するフック部材の摺動が規制されるので、フック部材の位置の規制を確実に行うことができる。
【発明の効果】
【００１９】
本発明のシートバックテーブルは、小物類を吊り下げるためのフック部材をテーブルに対して摺動させることで、フック部材の位置をテーブルの任意の位置に設定することが可能になる。
【図面の簡単な説明】
【００２０】
【図１】本発明の一実施例に係るシートバックテーブルの外観図である。
【図２】本発明の一実施例に係るシートバックテーブルの断面図である。
【図３】テーブルの裏面を表す外観図である。
【図４】レール部材の外観図である。
【図５】フック部材の外観図である。
【図６】フック部材の断面図である。
【発明を実施するための形態】
【００２１】
図１には本発明の一実施例に係るシートバックテーブルを表すためにシートを後側からみた外観の状況であり、図１（ａ）はテーブルが格納されている状況の外観図、図１（ｂ）はテーブルが引き起こされて使用されている状況の外観図である。また、図２には図１（ｂ）中のＩＩ−ＩＩ線断面を示してある。
【００２２】
図に示すように、フロント側のシート１のシートバック２の背面には、矩形のテーブル３が傾動自在に支持されている。つまり、テーブル３の上縁（一方側の縁）の内側には図示しないヒンジ部材が備えられ、シートバック２に対し、シートバック２の面に沿った状態に下向きに倒される格納状態、及び、シートバック２の面から下縁が引き上げられて起立維持されて使用面４が上側となる使用状態にされる。
【００２３】
テーブル３にはカップホルダーとなる穴１１が設けられ、テーブル３の裏面（使用面４の反対の面：裏側）５には、小物や買い物袋を吊り下げるためのフック部材１２が設けられている。フック部材１２は、テーブル３の両側の縁と下側の縁（他方側の縁）である周縁に亘り、移動自在（摺動自在）に支持されている。
【００２４】
詳細は後述するが、図２に示すように、フック部材１２は本体部１３と、本体部１３に連続した引掛部１４を有している。そして、テーブル３の使用面４の裏側に本体部１３が摺動自在に支持されている。引掛部１４に小物や買い物袋が吊り下げられ、本体部１３は摺動方向に沿った軸周りで傾動自在となっている。
【００２５】
本体部１３を傾動させることで、テーブル３が格納状態にある時、及び、使用状態にある時のいずれの場合でも、引掛部１４の姿勢を鉛直方向に向けて小物や買い物袋を吊り下げられる状態に保つことができる。
【００２６】
フック部材１２がテーブル３の使用面４の裏側に摺動自在に備えられているので、小物や買い物袋を吊り下げるフック部材１２の位置を任意の位置に移動させることができる。このため、使用者の好みやテーブル３の状態に応じて、吊り下げられる物が邪魔にならない任意の位置にフック部材１２の位置を設定することができる。
【００２７】
図３から図６に基づいて本発明の一実施例に係るシートバックテーブルにおけるフック部材１２の支持状態の構成を具体的に説明する。
図３にはテーブル３の裏面を表すテーブル３の外観、図４にはレール部材の外観、図５にはフック部材１２の外観を示してある。また、図６には図５中のVI−VI線断面であるフック部材の断面を示してあり、図６（ａ）は位置が規制されている状態の断面図、図６（ｂ）は移動が許容されている状態の断面図である。
【００２８】
図３に示すように、テーブル３の裏側には、両側の縁と下側の縁（他方側の縁）である周縁に亘り（縁部に沿って）、レール部材としての筒状でコ字型のワイヤー１５が取付けられている。ワイヤー１５には、フック部材１２の本体部１３の挿入穴１３ａ（図５参照）が摺動自在、且つ、傾動自在（ワイヤー１５の長手方向の軸周りで傾動自在）に挿入されている。
【００２９】
フック部材１２の本体部１３をワイヤー１５に沿って摺動させることで、傾動自在なフック部材１２をテーブル３の周縁に沿って移動させることができる。従って、テーブル３の裏側に備えられたワイヤー１５に沿ってフック部材１２を摺動させることができ、また、ワイヤー１５の長手方向の軸周りにフック部材１２の本体部１３が傾動自在に支持されているので、テーブル３の使用状態に応じて引掛部１４の角度を最適な状態に設定することができる。
【００３０】
図４に示すように、ワイヤー１５の適宜箇所には係止溝２１が設けられている。係止溝２１にはフック部材１２（図５参照）のロックプレート２２（図５参照）が係止するようになっている。フック部材１２（図５参照）のロックプレート２２（図５参照）がワイヤー１５の係止溝２１に係止することで、フック部材１２（図５参照）の摺動が規制される（摺動規制部材）。
【００３１】
このため、フック部材１２（図５参照）の位置が任意の位置に確実に規制される（位置決めされる）。尚、図に示すように、係止溝２１はワイヤー１５の全周に設けることが可能であるが、フック部材１２の傾動範囲でロックプレート２２が位置する部位にだけに設けることも可能である。
【００３２】
図５、図６に基づいて、ロックプレート２２の構成を具体的に説明する。
図５に示すように、フック部材１２の本体部１３の挿入穴１３ａの部位にはロックボタン２３が配され、ロックボタン２３にはワイヤー１５が挿入される空間２４が形成されている。ロックボタン２３の空間２４の内縁にはロックプレート２２が設けられ、ロックボタン２３は、ばね２５によりワイヤー１５に直交する方向に付勢されている。
【００３３】
ロックボタン２３がばね２５で付勢されることで、ロックプレート２２がワイヤー１５の外周（係止溝２１）に押し付けられ、フック部材１２の本体部１３がワイヤー１５の任意の位置（係止溝２１の位置）に規制される。ばね２５の付勢力に抗してロックボタン２３を押すことで、空間２４の中にワイヤー１５が配された状態になり、フック部材１２の本体部１３がワイヤー１５に沿って摺動自在とされる。
【００３４】
上述したシートバックテーブルでは、フック部材１２をワイヤー１５に沿って摺動自在にしたが、テーブル３に溝等の案内部材を直接形成してフック部材１２を溝に沿って摺動させることも可能である。また、ロックプレート２２を係止溝２１に係止させることでフック部材１２の摺動を規制する構成としたが、穴等を用いることも可能であり、また、ロックプレート２２をワイヤー１５の外周面に押し付けてフック部材１２の摺動を規制する構成にすることも可能である。
【００３５】
上記構成のシートバックテーブルは、図１（ａ）に示すように、テーブル３をシートバック２の面に沿った状態に下向きに倒すことで格納状態になる。また、図１（ｂ）に示すように、シートバック２の面からテーブル３の下縁を引き上げて起立維持することで使用面４が上側となる使用状態にされる。
【００３６】
フック部材１２の本体部１３をワイヤー１５に対して傾動させることで、テーブル３が格納状態にある時、及び、使用状態にある時のいずれの場合でも、引掛部１４の姿勢を鉛直方向に向けて小物や買い物袋（袋３１）を吊り下げられる状態に保つことができる。例えば、テーブル３の下側の縁である他方側の縁の中央部にフック部材１２を位置させて袋３１を吊り下げることができる。
【００３７】
図１（ｂ）に示すように、テーブル３が使用状態の時に中央部にフック部材１２の位置が規制されて袋３１が吊り下げられていた場合、使用者の体格等により、袋３１が邪魔になることも考えられる。
【００３８】
この場合、ばね２５の付勢力に抗してロックボタン２３を押して空間２４の中にワイヤー１５を位置させ、フック部材１２の本体部１３をワイヤー１５に沿って縁部に摺動させる（例えば、図１（ｂ）中に点線で示した位置）。所定の位置でロックボタン２３を離すことで、ばね２５の付勢力によりロックボタン２３が移動し、ロックプレート２２が所定の位置の係止溝２１に係止してフック部材１２の位置が規制される。
【００３９】
このため、テーブル３の使用状況や使用者の要望、吊り下げる小物や袋３１の種類等により、フック部材１２の位置を任意の位置に移動させることができるので、小物や買い物袋を吊り下げるためのフック部材１２の使い勝手を格段に向上させることができる。
【００４０】
また、フック部材１２が傾動自在にされているので、格納状態にあるテーブル３に袋３１を吊り下げたまま、テーブル３を引き起こすことができ、逆に、使用中のテーブル３に袋３１を吊り下げたまま、テーブル３を格納状態にすることができる。このため、テーブル３を操作する際の使い勝手も向上させることができる。
【００４１】
上述したシートバックテーブルでは、小物類を吊り下げるためのフック部材１２をテーブル３の縁部の任意の位置に摺動自在に備えたので、フック部材１２の位置をテーブル３の任意の位置に設定することが可能になり（フック部材１２の配置位置の自由度が増し）、使用者の要望に応じてフック部材１２の使い勝手を格段に向上させることができる。
【産業上の利用可能性】
【００４２】
本発明は、シートバックの背面に備えられたシートバックテーブルの産業分野で利用することができる。
【符号の説明】
【００４３】
１  シート
２  シートバック
３  テーブル
１１  穴
１２  フック部材
１３  本体部
１４  引掛部
１５  ワイヤー
２１  係止溝
２２  ロックプレート
２３  ロックボタン
２４  空間
２５  ばね
３１  袋
【図１】
2017109717.tif 000003
【図２】
2017109717.tif 000004
【図３】
2017109717.tif 000005
【図４】
2017109717.tif 000006
【図５】
2017109717.tif 000007
【図６】
2017109717.tif 000008